(57)【要約】【課題】解除不能の結束バンドを提供する。【解決手段】頭部２と、この頭部２より延長されたバンド体３で構成され、前記頭部２には裏面Ｂから前面Ｆに至る前記バンド体３の挿通用の案内孔５が貫通され、この案内孔５と所定の間隔をおいて平行して退避孔６が開口され、この退避孔６は先止まり状に形成されており、更に、前記案内孔５内に歯列７ｔを形成した歯体７が前記頭部２に対して一端が揺動可能に支持されていることを特徴とする封緘性能を高めた結束バンド。【選択図】        図１０
2006111272.tif 000002
【特許請求の範囲】
【請求項１】
頭部２と、この頭部２より延長されたバンド体３で構成され、前記頭部２には裏面Ｂから前面Ｆに至る前記バンド体３の挿通用の案内孔５が貫通され、この案内孔５と所定の間隔をおいて平行して退避孔６が開口され、この退避孔６は先止まり状に形成されており、更に、前記案内孔５内に歯列７ｔを形成した歯体７が前記頭部２に対して一端が揺動可能に支持されていることを特徴とする封緘性能を高めた結束バンド。
【請求項２】
頭部２に揺動自在に支持された歯体７の根元部に、前記頭部２の天井部より貫通されたスリット２ａによってヒンジ部７ｃを形成し、更に、前記頭部２の天井部より貫通するスリット２ｃによって前記歯体７の揺動端７ｎが区画形成されていることを特徴とする請求項１記載の封緘性能を高めた結束バンド。
【請求項３】
頭部２の開口部内に揺動自在に支持された歯体７は、この歯体の上面に位置する貫通孔５と、下面に位置する遊び孔６と、更に、前記遊び孔６に接続する２枚のスリット７ａ、７ｂによって頭部２の内部で分離独立されていることを特徴とする請求項１記載の封緘性能を高めた結束バンド。
【請求項４】
頭部２とバンド部３からなる結束バンドにおいて、前記頭部２に接続あるいは接続部材を介して表示部４が設けられていることを特徴とする封緘性能を高めた請求項１記載の結束バンド。
【発明の詳細な説明】
【技術分野】
【０００１】
本発明は、合成樹脂製結束バンドの改良に関し、特に、封緘性能に優れた結束作用ができる封緘バンドに関する。
【背景技術】
【０００２】
合成樹脂製結束バンドは主として電線や線条物などを縛ったり、複数の部材を一体的にまとめるために縛ったりする用途に使用されている。この結束バンドは、環状の頭部と、この頭部より一方に伸びる偏平なバンド部を有し、このバンド部の片面に多数の歯列が形成されている。そして前記頭部の貫通孔内に歯部が片持ち式で揺動自在に形成され、この歯部と前記歯列とが歯合して結束するようになっている。
【０００３】
結束バンドは、配線などの被緊縛物の周囲にバンド部を沿わせ、頭部にバンド部を挿通させて所定の張力で引っ張ることによって結束操作が終了するもので、極めて操作性に優れた紐状物である（例えば特許文献１参照）。
【特許文献１】特開昭５２−９５０７８号公報
【発明の開示】
【発明が解決しようとする課題】
【０００４】
前記特許文献１に記載された結束バンドは、頭部に斜めに貫通孔を形成し、この頭部より延長されたバンド部を前記貫通孔に貫通させ、更に所定の緊張力を与えておくものである。最近、この結束バンドを各種の物品、例えば精密部品や高価な金属や宝石などを収容する特殊な容器の、本体と蓋との間を閉止して封緘状態として安全性を確保して運搬する用途、あるいは各種の容器の封緘や倉庫などの扉の開閉の有無を確認する警備上の用途などに使用されている。
【０００５】
また、特殊用途、例えばパチンコ機のようにガラスを嵌めて内部を透視できる前蓋を本体に対して開閉して内部の機器を調節した後、両者の間を結束バンドで封緘しておく。もし、この前記結束バンドを切断して前蓋を開いた場合は、当然のことながら犯罪となるような極めて厳しい管理を要求されるような用途にも使用されている。
【０００６】
複数のものをまとめて強く縛れば良いという、単純な機能が要求される結束バンドの場合は、十分な強度を持ち、挿通・結束の作業性が良好であり、更に安価で大量生産に適した構造のもの（一般的なもの）を採用することが可能である。これに対して前記特殊運搬箱などの蓋体のように閉止状態を確保して開放された時にはそれを確認できるような犯罪防止用に使用される特殊な用途に使用される結束バンドの場合は、一旦結束すると「実質的に解除不能」の機能を持つものでなければならない。
【０００７】
周知のように、通常の結束バンドは、頭部の表面と裏面との間を結ぶように挿通孔を貫通して開口し、この挿通孔の内部に片持ち状に歯体を支持し、この歯体に対して、頭部より延長されているバンド部の片面に形成されている歯列が歯合されて結束状態を形成するものである。しかし、この歯合構造には問題が残る。つまり、頭部には必ず貫通孔をあけなければならず、しかもこの貫通孔内に歯体を揺動自在に設けなければならず、更に、この貫通孔にバンド部を貫通させて前記歯体と歯合させた状態において、バンド部の周面と頭部の孔との間に僅かながら「間隙」が不可避的に形成される。
【０００８】
しかし、この間隙は、金型の構造上の問題から発生するものと、結束バンドの構造上の問題から複合的に発生するものであり、この微細な間隙を縮小することは極めて困難な状態にある。従来の結束バンドにおいては、このような課題があることから、頭部の貫通孔と、これを貫通しているバンド部の周囲との間に形成される僅かな間隙を回避することは踏面、不可能なことである。
【０００９】
このような「間隙」が形成されると、この間隙を通じて針などの細径のものを押し込むことができ、これの先端で前記バンド部の歯列と頭部の歯体どの歯合状態を解除できる危険性がある。具体的には、頭部の内面に片持条に形成されている歯体の「揺動端：歯体の端部」に、前記のように針を突き刺し、バンド部との歯合状態を僅かに緩めた状態で、前記歯体を起して僅かにバンド体側より放すように操作し、バンド部側の歯列部より歯体を引き離し、歯合状態から解除することが可能となる。
【００１０】
結束バンド自体が大型のものであると、それに応じて頭部も大きく、前記間隙もそれなりに大きなものとなることから、前記のような歯体の歯合状態を解除する操作は比較的容易となる。
【００１１】
（本発明の目的）
本発明は、前記従来の結束バンドの不可避的な欠点である、「歯合状態の外部からの解除」という、結束バンドの持つ本質的な問題を解消しようとするものであって、結束バンドの大小に関係なく、バンド体の歯列と、頭部内に片持ち状に支持（ヒンジ）されている歯体との歯合状態を、実質的に解除することができないか、極めて困難な、封緘性能に優れた構造を持つ結束バンドを提供することを目的とするものである。
【課題を解決するための手段】
【００１２】
本発明に係る結束バンドは、次のように構成されている。
【００１３】
１）頭部２と、この頭部２より延長されたバンド体３で構成され、前記頭部２には裏面Ｂから前面Ｆに至る前記バンド体３の挿通用の案内孔５が貫通され、この案内孔５と所定の間隔をおいて平行して退避孔６が開口され、この退避孔６は先止まり状に形成されており、更に、前記案内孔５内に歯列７ｔを形成した歯体７が前記頭部２に対して一端が揺動可能に支持されていることを特徴としている。
【００１４】
２）頭部２に揺動自在に支持された歯体７の根元部に、前記頭部２の天井部より貫通されたスリット２ａによってヒンジ部２ｂを形成し、更に、前記頭部２の天井部より貫通するスリット２ｃによって前記歯体７の揺動端７ｎが区画形成されていることを特徴としている。
【００１５】
３）頭部２の開口部内に揺動自在に支持された歯体７は、この歯体の上面に位置する貫通孔５と、下面に位置する遊び孔６と、更に、前記遊び孔６に接続する２枚のスリット７ａ、７ｂによって頭部２の内部で分離独立されていることを特徴としている。
【００１６】
４）頭部２とバンド部３からなる結束バンドにおいて、前記頭部２に接続あるいは接続部材を介して表示部４が設けられていることを特徴としている。
【発明の効果】
【００１７】
本発明に係る合成樹脂製結束バンドは、頭部２に開口された案内孔５にバンド部３を挿通することで、前記案内孔５に設けた歯体７に対してバンド部３の歯列３ａが歯合するように構成されており、更に前記歯体７の裏側に退避孔６が設けられており、前記バンド体３の挿通により歯体７は、このバンド体３とは反対側の退避孔６内で反って（退避）前記バンド体３の緊縛方向への引き抜き移動をさせている。
【００１８】
頭部２に存在する間隙を通じて案内孔５内に突出している歯体７を、何らかの方法により操作してこれを引き起こしてバンド体３との歯合を解除することができれば、この結束バンドの封緘機能は喪失する。
【００１９】
本発明においては、頭部２の案内孔５内に存在する歯体７を操作できる空間を無くした構造を採用している。つまり、歯体７が退避運動する退避孔６を行き止まり状に開口することで、前記歯体７の先端部７ａを退避孔６の最も奥に配置した。その結果、この歯体７の端部に針などを付き刺すことができなくなり、歯合状態の解除を不能にすることができるものである。
【００２０】
また、歯体７を頭部２の内部の空間内に形成するために設けられた、案内孔５は、バンド体３によって充満状態で閉止されるので、この案内孔５の周囲には最早、前記歯体７を操作する間隙が全く形成されず、その結果、封緘機能の優れた結束バンドを提供できる。
【発明を実施するための最良の形態】
【００２１】
（結束バンドの全体構成）
本発明に係る結束バンドは、図１に１Ａ、１Ｂ及び１Ｃとして示すように、頭部２とバンド部３と表示部４が一体的に構成されており、通常の配線などの結束用のバンドと比較すると表示部４が付加された構造を有している。
【００２２】
この表示部４は、そのバンドの用途により（Ａ）図のように頭部２とバンド部３との間に帯状に配置したり、（Ｂ）図のように、頭部２を中心として一方（上方）に表示部４を、他方にバンド部３を紐状に配置したもの、更に、（Ｃ）図のように頭部２に近接して表示部４をバンド部３に対してＴ型にを形成したものなど用途に応じて各種のタイプのものがある。
【００２３】
（結束バンドの主要部）
次に、本発明に係る結束バンド１の重要部分について説明する。図２は頭部２とバンド部３の側断面図、図３は左側面図、図４は右側面図をそれぞれ示している。図２において頭部２の裏面Ｂ（被緊縛物側）と表面Ｆとの間に案内孔５が貫通して形成され、その案内孔５に平行して下方に退避孔６が開口され、案内孔５と退避孔６との間に歯体７が根元部をヒンジ状に連結した状態で揺動可能に形成されている。
【００２４】
前記案内孔５は、被緊縛物を巡らせたバンド部３を案内して挿通するものであり、また、この案内孔５に平行して形成された退避孔６は、前記歯部７を形成する金型部材が収容された孔であると共に、バンド部３の歯列３ａと歯体７の歯部７ｔとが歯合する際に、歯体７が歯部の高さ分、逃げて退避する空間でもある（図６参照）。
【００２５】
図４に示すように、歯体７の両側に薄いスリット７ａ、７ｂを歯体７の幅だけ距離をおいて形成して、歯体７の両側部を頭部２の肉より切り離している。更に歯体７の根元部にスリット２ａを形成して歯体７の根元に薄いヒンジ部７ｃ（連結部）を形成し、また、やや厚目のスリット２ｃによって歯体７の先端面７ｎを頭部２の肉より切り離して歯体７の概略構造を形成している。また、バンド部３の裏面Ｂ（被緊縛物側）に歯列３ａ（図３）が形成されている。
【００２６】
図５は、前記図２の平面図であって、頭部２の天井面には歯体７の根元部を形成するためのスリット２ａと、歯体７の先端面７ｎを頭部２より切り離すためのためのスリット２ｃが開口されている。また、図４と図５とを参照すると理解できるように、スリット２ｃの両側にスリット７ａ、７ｂが「コ字形」に配置されている。
【００２７】
（金型の集合状態）
図６は、２個の主体となる金型８、９と１個の補助となる金型１０とを集合させた状態を示している。第１型８（下型）と第２型９（上型）で結束バンド１のキャビティ１Ｅを形成している。そして補助型１０により入れ子２ａ−１と入れ子２ｃ−１（中子）を平行に支持している。
【００２８】
また、第１型８側に案内孔５の一部を成形する入れ子７０と退避孔６を成形する入れ子６０が平行して支持されており、第２型９が第１型８に対してパーティングラインＬより矢印Ｕの方向に分離する際に、これらの入れ子６０と７０とは前記キャビティ１Ｅ内に成形された結束バンド１より引き抜かれることになり、その際に案内孔５の一部と退避孔６を成形することができる。
【００２９】
また、第２型９（上型）側に、バンド体１に歯列３ａを形成するための入れ子７１と、歯体７の両側を頭部２より切り離すための２枚の入れ子７２（スリット７ａ，７ｂを成形する。図４、図７）とが、所定の間隔をおいて支持（植込み）されている。前記入れ子７１は、頭部３の中空部に形成されている歯体７の歯列７ｔを成形するための凹部７ｔ’と、頭部２の前後に貫通する案内孔５を成形する金型部材である。
【００３０】
この入れ子７１と関連して使用される入れ子２ａ−１、２ｃ−１などについては図７に全体構成を斜視図で示し、図８に入れ子７１の裏面の形状を、また、図９に入れ子７１の側断面図を示している。この入れ子７１は、歯体７の歯列７ｔを成形する凹部７ｔ’と両側縁部７３と、更に入れ子２ｃ−１が貫通する穴７４と、薄い入れ子２ａ−１（歯体７の根元のヒンジ部を形成する入れ子）の片面を支持する凹部７５が形成されている。
【００３１】
また、図９に入れ子７１に設けた穴７４に入れ子２ｃ−１が挿入され、成形される歯体７の先端面７ｎを、この入れ子２ｃ−１の片側の表面で区画成形するようになっている。      
【００３２】
再び図６の金型集合図において、第２型９側に４本の突き出しピン１３と、このピン１３を駆動するシリンダ装置（図示せず）が設けられており、このピン１３を一斉に所定の位置まで前進させることによって、成形され、第２型９のキャビティ１Ｅに付着されている結束バンド１を、第２型８より離型して第１型８と第２型９との間に分離させるようになっている。
【００３３】
また、前記第２型９側に入れ子７１と、その下方に位置するスリット７ａ，７ｂを成形するための２枚の入れ子７２（図６，図７，図４参照）が固定されている。そして前記突き出しピン１３で成形品として完成された結束バンド１をを突き出す際に、これらの入れ子７１と７２は結束バンド１との相対移動（離型運動）により抜くような動作して、結束バンド１の頭部２の内部構造、特に歯体７を揺動可能に成形するように構成されている。
【００３４】
（結束バンドの成形）
結束バンド１の成形時には、図６のように第１型８、第２型９、補助型１０を集合状態の成形準備状態としておく。
【００３５】
そして図示しない射出成形機より金型のランナーを経由して溶融樹脂が注入され、図６に示すキャビディ１Ｅ内に充填され、その状態で樹脂の固化温度に到達するまで冷却される。
【００３６】
次に、補助型１０を金型８、９の側面より後退させ、これに固定されている入れ子２ａ−１と２ａ−２を第２型９に直交して後退分離させ、既に成形されている結束バンド１より脱出させて歯体７の連結部（ヒンジ部）７ｃと歯体７の先端面７ｎを成形する。
【００３７】
しかる後、第１型８と第２型９との間のパーティングラインＬの部分より矢印Ｕの方向に開口することで、第２型９側に成形された結束バンド１を付着させた状態とする。
【００３８】
次に、突き出しピン１３を一斉に突出させることによって、第２型９側より成形品である結束バンド１を突き出す。この操作の際に、成形された結束バンド１より入れ子７１と７２とが脱出する。この状態になると、入れ子７１と７２とが貫通されている結束バンド１は第２型９のキャビティに付着した状態になっている。
【００３９】
そこで、図示しないシリンダ装置などで前記突き出しピン１３を操作して、第２型９側のキャビティに付着していた結束バンド１を離型動作を行う。すると、この結束バンド１の脱出と共に入れ子７１より歯体７が剥離する。それと同時に頭部２を貫通する案内孔５も開口形成される。
【００４０】
（本発明の結束バンドの特徴）
図１０は、配線などの被緊縛物１００の周囲に結束バンド１のバンド部３を巡らせ、頭部２の案内孔５に挿通して引っ張って緊縛した状態を示しているが、その結束工程においてバンド部３の歯列３ａに対して歯体７は、スリット２ａで形成されたヒンジ部７ｃを支点として点線７’で示すように退避孔６内で揺動して、バンド体３が所定の位置まで容易に移動し、結束される。
【００４１】
この結束状態を観察すると理解できるように、頭部２の裏面Ｂ側に僅かな空間Ｋが形成されることになるが、この状態においては被緊縛物１００によって退避孔６の口部６ａが閉じられている状態となる。
【００４２】
さて、前記状態において空間Ｋを通じて孔６内に「針」のような「細い物」を入れて歯体７を点線で示す７’の状態に、バンド体３より離すような操作をすることが困難である上に、この歯体７の揺動端７ｍはスリット２ｃ側に位置していることから、この揺動端７ｍに「針などの細い物」を差し込み、歯体７を後退させることは不可能である。
【００４３】
一方、頭部２の天井部分に開口したスリット２ｃ（図５参照）はバンド体３によって閉止されているので、歯体７等の頭部２の内部構造を操作することは全くできないことになる。
【００４４】
図１１は、本発明に係る結束バンド１を封緘用に使用している状態の要部を示しており、箱体３０（例えば、貴重品箱、重要な部品箱など）側に設けた閉止部材３１と、ドア３２（蓋）側に設けたレバー３３とを連結した状態を示しており、閉止部材３１の先端部３１ａのメガネ孔３１ｂと、箱体３０側に固定された金具３４のメガネ孔３４ａとの間に本発明に係る結束バンド１を挿通して結束封緘した状態を示している。
【００４５】
さて、図１０を参照して理解できるように、退避孔６の奥側に歯体７の先端部が位置しており、更に、この退避孔６の奥側は閉止されている。この図１０の例にどいては前記退避孔６の入り口６ａは開口されているが、前記のように歯体７は退避孔６の奥側にその先端部が位置していることから、この歯体７をバンド体３との歯合関係を何らかの手段で解除しようとしても、外すことは実質的に困難であり、優れた封緘効果を発揮することができる。
【００４６】
また、図６及び図７より理解できるように、金型部材を精密に加工することができ、精度の高い結束バンドを製造することができる。
【００４７】
なお、本発明に係る結束バンドの寸法を例示すること下記の通りであるが、本発明はこれに限定されるものではない。
ａ）頭部２の縦横：４〜５ｍｍ（大型の物になると、１０×１０ｍｍとなる）
ｂ）頭部２の厚み：４〜７ｍｍ
ｃ）バンド部３の幅：２．５〜７ｍｍ
ｄ）バンドの厚み：１〜２ｍｍ
ｅ）バンド部の長さ：１０〜２０ｃｍ
ｆ）図４のスリット７ａ、７ｂの幅：０．２ｍｍ、同高さ：１〜２ｍｍ。
【図面の簡単な説明】
【００４８】
【図１】（Ａ）は表示部をに頭部の下側に、（Ｂ）は頭部の上側に、更に（Ｃ）は頭部の下側で横向きに配置したものを示した図である。
【図２】結束バンドの頭部の横断面図である。
【図３】図２の左側面図である。
【図４】図２の右側面図である。
【図５】図２の上面図である。
【図６】複数個の金型が集合して結束バンドのキャビティを形成している状態を示す断面図である。
【図７】歯体を成形するための入れ子の斜視図である。
【図８】歯体を成形するための入れ子の裏面図である。
【図９】図８の側断面図である。
【図１０】結束バンドで被緊縛物を結束した状態を示す断面図である。
【図１１】箱体と蓋体との間を閉止し、両者の金具の間を結束バンドで封緘したものを示す。
【符号の説明】
【００４９】
１Ａ，１Ｂ，１Ｃ  結束バンド      １Ｅ  キャビティ
２  頭部      ２ａ  スリット    ２ａ−１，２ｃ−１  入れ子（金型部材）
２ｂ  ヒンジ部      ２ｃ  スリット
３  バンド部      ３ａ  歯列      ３ａ’  傾斜歯面
４  表示部        ６  退避孔      ７  歯体      ７ａ，７ｂ  スリット
７ｈ  歯部        ７ｎ  歯体の端面
７ｈ’  凹部      ８  第１型（下型）    ９  第２型（上型）  
１０  第１補助型
７１，７２  入れ子      ７４  穴      ７５  凹部        
【図１】
2006111272.tif 000003
【図２】
2006111272.tif 000004
【図３】
2006111272.tif 000005
【図４】
2006111272.tif 000006
【図５】
2006111272.tif 000007
【図６】
2006111272.tif 000008
【図７】
2006111272.tif 000009
【図８】
2006111272.tif 000010
【図９】
2006111272.tif 000011
【図１０】
2006111272.tif 000012
【図１１】
2006111272.tif 000013
【手続補正書】
【提出日】平成16年10月18日(2004.10.18)
【手続補正１】
【補正対象書類名】図面
【補正対象項目名】図２
【補正方法】変更
【補正の内容】
【図２】
2006111272.tif 000014